(57)【要約】【課題】風力発電装置のタワートップ内部の放熱性を向上し、タワートップを小型化する。【解決手段】タワー２の上端部に設けられるタワートップ３と、タワートップ３の側端部に設けられる発電機４とを備える風力発電装置１である。タワートップ３に、電力変換器盤６（発熱部）及び冷却装置７を格納する。冷却装置７は、電力変換器盤６に冷却液を流通させる冷却液循環路８，９と、冷却液を冷却するラジエタ１０と、冷却ファン１１とを有する。発電機４の回転軸に回転動力伝達軸５を設け、回転動力伝達軸５のラジエタ１０と対向する端部に冷却ファン１１を設ける。発電機４の発電動作に応じて回転動力伝達軸５が回転し、冷却ファン１１が駆動する。【選択図】図１
2015031200.tif 000002
【特許請求の範囲】
【請求項１】
風力エネルギーを動力として発電する発電機を有する風力発電装置であって、
前記風力発電装置の発熱部の熱を冷却する冷却液が循環する冷却液循環路と、前記冷却液を冷却するラジエタと、前記ラジエタを冷却する冷却ファンとを有する冷却装置を備え、
前記冷却ファンを前記発電機の回転軸の回動に応じて駆動する
ことを特徴とする風力発電装置。
【請求項２】
前記発熱部と前記ラジエタとの間に仕切板を設ける
ことを特徴とする請求項１に記載の風力発電装置。
【請求項３】
前記発電機の回転軸と前記冷却ファンの回転軸とを動力伝達機構を介して接続する
ことを特徴とする請求項１または請求項２に記載の風力発電装置。
【請求項４】
前記発電機の回転軸の回動に応じて圧縮空気を生成する圧縮機と、
前記圧縮機の圧縮空気で駆動されるエアモータと、を備え、
前記エアモータで前記冷却ファンを駆動する
ことを特徴とする請求項１または請求項２に記載の風力発電装置。
【請求項５】
前記発電機の回転軸の回動に応じて動作する油圧ポンプを備え、
前記油圧ポンプで前記冷却ファンを駆動する
ことを特徴とする請求項１または請求項２に記載の風力発電装置。
【請求項６】
風力エネルギーを動力として発電する発電機を有する風力発電装置の冷却方法であって、
前記風力発電装置の発熱部近傍に冷却液を流通させ、該発熱部の熱を冷却液に熱交換し、
前記冷却液の熱を外気に放熱するラジエタを冷却する冷却ファンを、前記発電機の回転軸の回動に応じて駆動させる
ことを特徴とする風力発電装置の冷却方法。
【発明の詳細な説明】
【技術分野】
【０００１】
本発明は、風力発電装置及び風力発電装置の冷却方法に関する。
【背景技術】
【０００２】
風力エネルギーを利用して発電を行う発電装置やポンプ等を駆動する駆動装置が知られている（例えば、特許文献１−５）。
【０００３】
図４は、従来技術に係る風力発電装置３３の構成を示す図である。風力発電装置３３は、風車３４と、発電機４と、タワートップ３とを有する。
【０００４】
風車３４は、発電機４に接続される回転軸３５と、回転軸３５の端部に設けられるハブ３６と、ハブ３６から回転軸３５の径方向に立設される風車ブレード３７，３８，３９と、を有する。
【０００５】
発電機４は、風車３４の回転運動を電力に変換する。一般的に、増速器を有さない発電機４は、タワートップ３の側端部に設けられ、増速器を有する発電機は、タワートップ３内に配置される。
【０００６】
タワートップ３は、タワーベース４０から立設するタワー２の上端部に設けられ、電力変換器盤６、連系変圧器４１、風車制御盤４２、冷却装置４３を格納する。
【０００７】
電力変換器盤６は、例えば、ＡＣ−ＤＣ−ＡＣ電力変換器盤である。電力変換器盤６は、発電機４の端子箱４ａに接続された電力ケーブル１７を介して発電機４と接続され、発電機４で発電された電力が電力変換器盤６に供給される。さらに、電力変換器盤６は、電力ケーブル４４を介して連系変圧器４１が接続され、電力変換器盤６で変換された電力が連系変圧器４１を介して配電線網に供給される。なお、連系変圧器４１には、電力ケーブル１８を介して遮断機４５が接続され、変電所（図示せず）と風車３４（発電機４）との遮断が可能となっている。
【０００８】
風車制御盤４２は、風車全体を統括制御するものであり、例えば、ブレード３７，３８，３９の取付け角（ピッチ角度）や電力変換器盤６を制御し、強風等から風車３４を保護する。なお、図示省略しているが、タワーベース４０にも風車制御盤が設けられ、タワートップ３側の風車制御盤４２とタワーベース４０側の風車制御盤とが通信回線を通して通信を行い、風車３４の制御が行われる。
【０００９】
冷却装置４３は、例えば、空冷や水冷により電力変換器盤６等の発熱部を冷却する。
【００１０】
上記のような電力変換器盤６等の機器は、タワートップ３またはタワーベース４０に配置される。電力変換器盤６等の機器をタワーベース４０に配置した場合、場合によっては冷却装置４３がタワーベース４０の外に配置されることがある。このように冷却装置４３がタワーベース４０の外に配置されると、冷却装置４３がクレーン等の建設機の邪魔になるおそれや建設工程の複雑化をまねくおそれがある。
【００１１】
これに対して、タワートップ３に電力変換器盤６等の機器を配置すると、タワーベース４０をスリム化することができる。また、地表より上空の方がより風が吹くため、風を冷却に有効に利用することができる。また、タワートップ３を工場で組み立てて出荷することで、現地建設工程を簡略化することもできる。
【００１２】
しかし、電力変換器盤６等の機器をタワートップ３に配置した場合、タワートップ３の放熱性が低下することが懸念される。そこで、タワートップ３での放熱性を向上させる一手段として、タワートップ３の大きさを大きくして、タワートップ３における機器の占有面積や占有体積を小さくすることが考えられる。
【先行技術文献】
【特許文献】
【００１３】
【特許文献１】特開平９−２５２５６３号公報
【特許文献２】特表２００３−５０４５６２号公報
【特許文献３】特開２０１２−７７６８７号公報
【特許文献４】特開２００５−１８０２３７号公報
【特許文献５】特表２０１３−５０１８９１号公報
【発明の概要】
【発明が解決しようとする課題】
【００１４】
しかしながら、タワートップ３の大きさを大きくすると、その分タワー２やタワーベース４０を構成する部材の強度を大きくする必要が生じるおそれがある。
【００１５】
タワートップ３の大きさを大きくすることなく、タワートップ３に設けられた機器の放熱性を向上させる技術として、タワートップ３内部に外気を取り入れ、この外気を直接発熱部（インバータ装置等）に吹き付ける技術が提案されている（例えば、特許文献１）。しかし、発熱部に直接外気を吹き付けると、発熱部が外気中の塩分や水分等により腐食されてしまうおそれがある。
【００１６】
そこで、タワー２及びタワートップ３内に閉回路となるように冷却路を形成し、タワー２及びタワートップ３を放熱器として利用することで、外気を取り入れずにタワートップ３内部を冷却する方法が提案されている（例えば、特許文献２）。しかし、機器の占有面積や占有体積が大きいタワートップ３部での放熱性が不十分となるおそれがある。
【００１７】
上記事情に鑑み、本発明は、風力発電装置において、タワートップ内部の放熱性の向上及びタワートップの小型化に貢献する技術を提供することを目的とする。
【課題を解決するための手段】
【００１８】
上記目的を達成する本発明の風力発電装置は、風力エネルギーを動力として発電する発電機を有する風力発電装置であって、前記風力発電装置の発熱部の熱を冷却する冷却液が循環する冷却液循環路と、前記冷却液を冷却するラジエタと、前記ラジエタを冷却する冷却ファンとを有する冷却装置を備え、前記冷却ファンを前記発電機の回転軸の回動に応じて駆動することを特徴としている。
【００１９】
また、上記目的を達成する本発明の風力発電装置の冷却方法は、風力エネルギーを動力として発電する発電機を有する風力発電装置の冷却方法であって、前記風力発電装置の発熱部近傍に冷却液を流通させ、該発熱部の熱を冷却液に熱交換し、前記冷却液の熱を外気に放熱するラジエタを冷却する冷却ファンを、前記発電機の回転軸の回動に応じて駆動させることを特徴としている。
【発明の効果】
【００２０】
以上の発明によれば、風力発電装置のタワートップ内部の放熱性の向上及びタワートップの小型化に貢献することができる。
【図面の簡単な説明】
【００２１】
【図１】（ａ）本発明の第１実施形態に係る風力発電装置のタワートップ部分の縦断面図、（ｂ）同部分の上面図である。
【図２】本発明の第２実施形態に係る風力発電装置のタワートップ部分の縦断面図である。
【図３】（ａ）本発明の第２実施形態に係る風力発電装置の他例を示すタワートップ部分の縦断面図、（ｂ）本発明の第２実施形態に係る風力発電装置の他例を示すタワートップ部分の縦断面図である。
【図４】従来技術に係る風力発電装置の概略図である。
【発明を実施するための形態】
【００２２】
本発明の風力発電装置及び風力発電装置の冷却方法について、図を参照して詳細に説明する。なお、図１〜３に示す図は、本発明の実施形態に係る風力発電装置を模式的に示したものであり、図面上の寸法比と実際の寸法比とは必ずしも一致するものではない。また、各実施形態に係る風力発電装置は、図４に示した従来技術に係る風力発電装置とタワートップ内部の構造が異なり、他の部分は同じである。したがって、異なる部分について詳細に説明する。
【００２３】
（第１実施形態）
図１（ａ），（ｂ）に本発明の第１実施形態に係る風力発電装置１のタワートップ３部分の縦断面図及び上面図を示す。
【００２４】
図１（ａ）に示すように、風力発電装置１は、タワー２の上端部に設けられるタワートップ３と、タワートップ３の側端部に設けられる発電機４と、を備える。
【００２５】
発電機４は、風車（図示せず）の回転運動を電力に変換する。図に示すように増速器を有さない発電機４はタワートップ３の側端部に設けられる。なお、発電機が増速器を有する場合は、発電機及び増速器はタワートップ３内に配置される。発電機４の回転軸には回転動力伝達軸５が直結され、発電時に発電機４の回転軸の回転に応じて回転動力伝達軸５が回転する。
【００２６】
タワートップ３は、ナセルまたはサブフレームと称されるものであり、電力変換器盤６及び冷却装置７を格納する。
【００２７】
電力変換器盤６は、例えば、ＡＣ−ＤＣ−ＡＣ電力変換器（コンバータ）盤である。電力変換器盤６は、タワートップ３（ナセル）に格納されている。電力変換器盤６には、電力ケーブル１７を介して発電機４が接続されており、発電機４で発電された電力が電力変換器盤６に供給される。さらに、電力変換器盤６で変換された電力は、連系変圧器（図示せず）及び電力ケーブル１８を介して配電線網に供給される。なお、図１（ｂ）に示すように、実施形態の説明では、電力変換器盤６が回転動力伝達軸５を挟んで２つ設けられた、いわゆる２面構成の例を示しているが、電力変換器盤６の数は特に限定されるものではなく、電力変換器盤６を１面構成としてもよい。
【００２８】
冷却装置７は、電力変換器盤６の内部に冷却液を流通させる冷却液循環路８，９と、冷却液を冷却するラジエタ１０と、冷却ファン１１とを有する。
【００２９】
冷却液循環路８，９は、電力変換器盤６の発熱部（インバータやコンバータ等）近傍まで延設されており、電力変換器盤６の発熱部近傍へ冷却液を流通させる。また、冷却液循環路８，９はラジエタ１０に接続されており、ラジエタ１０で冷却液と外気との熱交換が行われる。なお、冷却液循環路９には冷却液を循環させるための循環ポンプ１２が設けられ、循環ポンプ１２は制御盤１３により制御される。制御盤１３の循環ポンプ１２の制御は、例えば、循環ポンプ１２を一定速で運転する、または、冷却液の温度が所定の値となったときに循環ポンプ１２を一定速で運転する、または、冷却液の液温が一定となるように循環ポンプ１２を速度制御する等の方法により行われる。冷却液は、主に水が用いられるが、他の液体を用いてもよい。また、冷却液に水を使用する場合に、冷却液に防錆剤や不凍液（エチレングリコール等）を添加してもよい。
【００３０】
冷却ファン１１は、回転動力伝達軸５のラジエタ１０と対向する端部に、冷却ファン１１の回転軸が回転動力伝達軸５の回転軸と同軸となるように設けられる。そして、回転動力伝達軸５の回転に応じて冷却ファン１１が駆動される。冷却ファン１１が駆動すると、冷却風がラジエタ１０に送風され、ラジエタ１０における冷却液と外気との熱交換がさらに促進される。
【００３１】
なお、タワートップ３内には仕切板１４が設けられ、タワートップ３内部が２つの空間に隔てられる。一方の空間は、少なくともラジエタ１０及び冷却ファン１１が設けられる空間であって、外気が流入または流出する開口部１５，１６がタワートップ３の外壁部に形成された空間である。すなわち、この空間は、外気が流通する空間である。他方の空間は、少なくとも電力変換器盤６が設けられる空間であり、この空間には、外気を取り入れる開口部が形成されない。すなわち、他方の空間に設けられる機器は、外気からの腐食や汚損から保護されることとなる。
【００３２】
次に、風力発電装置１における電力変換器盤６の冷却方法について説明する。風車が回転して発電機４で発電が開始されると、発電機４の発電とともに回転動力伝達軸５が回転する。回転動力伝達軸５の回転に応じて冷却ファン１１が駆動し、ラジエタ１０に冷却風が送風される。その結果、冷却液循環路８，９を循環している冷却液は、ラジエタ１０において冷却風により冷却される。なお、制御盤１３が循環ポンプ１２を駆動している場合は、冷却液は、ラジエタ１０から冷却液循環路９（または、冷却液循環路８）を通って電力変換器盤６の発熱部近傍を流通し、発熱部を冷却した冷却液が冷却液循環路８（または、冷却液循環路９）を通って再びラジエタ１０に戻ることとなる。このようにして、電力変換器盤６で発生した熱は冷却液循環路８，９を循環する冷却液に放出され、冷却液の熱はラジエタ１０から外気に放出される。
【００３３】
以上のような風力発電装置１によれば、冷却液を循環させて電力変換器盤６等の発熱部を冷却するので冷却装置７を小型化することができる。また、冷却装置７に液冷を用いることで、電力変換器盤６等の発熱部の放熱性が向上する。したがって、電力変換器盤６等の集積度を上げ電力変換器盤６を小型化したり、タワートップ３内に電力変換器盤６等の装置を密集して配置したりすることができる。その結果、空冷式の冷却装置を用いた場合よりもタワートップ３を小型化することができる。
【００３４】
従来技術に係る風力発電装置において、発熱部を液冷により冷却する場合、風力発電装置に設けられる設備の温度（若しくは、風力発電装置内温度）に応じて冷却ファンを駆動させる必要があり、マイクロコンピュータ等の電子制御装置により冷却ファンの駆動を制御していた。このように、電子制御装置により冷却ファンを駆動させる構成をとると、風力発電装置のコストが大きくなるという課題があった。
【００３５】
これに対して、本発明の風力発電装置１は、発電機４の回転軸の回動（すなわち、回転動力伝達軸５の回動）に応じて冷却ファン１１が駆動されるので、風力発電装置１において発熱が生じるタイミングで冷却ファン１１を駆動することができる。その結果、冷却ファン１１を制御するためのセンサや電子制御装置等が不要となり、冷却装置７の簡素化及び低コスト化が実現される。
【００３６】
また、本発明の風力発電装置１は、発熱部の近傍を冷却液が流通するように冷却液循環８，９路を設けることで、密閉された空間に設けられた発熱部品の放熱性が向上する。したがって、タワートップ３に仕切板１４を設けたり、電力変換器盤６を密閉されたケース（または、タワートップ３の密閉された空間）に収納したりした場合でも、発熱部品が十分冷却されるので、電力変換器盤６等の精密機器が外気中の塩分や水分等により腐食されることを抑制することができる。
【００３７】
（第２実施形態）
図２を参照して、本発明の第２実施形態に係る風力発電装置１９について詳細に説明する。第２実施形態に係る風力発電装置１９は、発電機４の回転軸の回転動力を動力伝達機構２０を介して冷却ファン２１，２２，２３に伝えることが第１実施形態の風力発電装置１と異なる。よって、異なる部分である冷却ファン２１，２２，２３の駆動機構について詳細に説明する。ここでは、第１実施形態の風力発電装置１と同一の構成は第１実施形態と同じ符号を付して詳細に説明する。
【００３８】
図２に示すように、第２実施形態に係る風力発電装置１９は、タワー２の上端部に設けられるタワートップ３と、タワートップ３の側端部に設けられる発電機４と、を備える。タワートップ３には、電力変換器盤６及び冷却装置７が格納される。
【００３９】
冷却装置７は、電力変換器盤６に冷却液を循環させる冷却液循環路８，９と、冷却液を冷却するラジエタ１０と、冷却ファン２１，２２，２３とを、有する。冷却ファン２１，２２，２３は、ラジエタ１０と対向して設けられ、冷却ファン２１，２２，２３の回転軸は、発電機４の回転軸（図示せず）に動力伝達機構２０を介して接続される。そして、発電機４の回転軸の回転に応じて冷却ファン２１，２２，２３が駆動し、冷却風がラジエタ１０に送風される。
【００４０】
動力伝達機構２０は、ギヤ２４、動力伝達軸２５、ギヤ２６及びベルト２７から構成される。ギヤ２４は、発電機４の回転軸の回転運動を動力伝達軸２５に伝達する部材であり、ギヤ２４には発電機４の回転軸と動力伝達軸２５の一端とが接続される。ギヤ２６は、動力伝達軸２５の回転運動をベルト２７を介して冷却ファン２１，２２，２３に伝達する部材であり、ギヤ２６には動力伝達軸２５の他端とベルト２７とが接続される。なお、動力伝達機構２０は、実施形態に限定されるものではなく、動力伝達機構２０を、チェーン機構、ベルト機構、ギヤ機構等を単独若しくは組み合わせて構成してもよい。
【００４１】
タワートップ３内には仕切板１４が設けられ、仕切板１４は、タワートップ３内部を外気が流通する空間と外気が流通しない空間に隔てる。
【００４２】
次に、風力発電装置１９における電力変換器盤６の冷却方法について説明する。風車が回転して発電機４で発電が開始されると、発電機４の回転軸の回転運動が、ギヤ２４、動力伝達軸２５、ギヤ２６、ベルト１７の順に伝達し、冷却ファン２１，２２，２３が駆動される。このように冷却ファン２１，２２，２３が駆動することで、冷却風がラジエタ１０に送風される。その結果、第１実施形態の風力発電装置１と同様に、電力変換器盤６の発熱部で発生した熱は冷却液循環路８，９を循環する冷却液に放出され、冷却液の熱はラジエタ１０から外気に放出される。
【００４３】
以上のような第２実施形態に係る風力発電装置１９によれば、第１実施形態の風力発電装置１と同様に、電力変換器盤６等の発熱部の放熱性を向上し、タワートップ３を小型化することができる。また、冷却装置７の簡素化及び低コスト化が実現される。また、電力変換器等の精密機器が外気中の塩分や水分等により腐食されることを抑制することができる。
【００４４】
また、第２実施形態に係る風力発電装置１９によれば、発電機４の回転軸に動力伝達機構２０を介して冷却ファン２１，２２，２３を駆動するので、動力伝達軸２５の位置を任意に設定することができる。その結果、電力変換器盤６等の機器の配置形態の自由度が向上する。
【００４５】
また、ギヤ２４を介して発電機４の回転軸と動力伝達軸２５とを連結することで、発電機４の回転軸と動力伝達軸２５の回転比率を任意に設定することができる。
【００４６】
以上、本発明の風力発電装置及び風力発電装置の冷却方法について、具体例を示して詳細に説明したが、本発明の風力発電装置及び風力発電装置の冷却方法は、上述した実施形態に限らず、本発明の特徴を損なわない範囲で適宜設計変更が可能であり、そのように変更された形態も本発明に技術的範囲に属する。
【００４７】
例えば、図３（ａ）に示す風力発電装置２８ように、発電機４の回転軸にギヤ２４、動力伝達軸２５を介して圧縮機２９を設け、この圧縮機２９で生成された圧縮空気でエアモータ３０を駆動し、冷却ファン２１，２２，２３を駆動してもよい。また、図３（ｂ）に示す風力発電装置３１のように、発電機４の回転軸にギヤ２４、動力伝達軸２５を介して油圧ポンプ３２を設け、この油圧ポンプ３２で冷却ファン２１，２２，２３を駆動してもよい。
【００４８】
また、冷却装置７が冷却する対象は、電力変換器盤６に限定されるものではなく、例えば、変圧器やタワートップ３内全体、タワー２内全体等を冷却する目的で設けてもよい。
【符号の説明】
【００４９】
１，１９，２８，３１…風力発電装置
２…タワー
３…タワートップ
４…発電機
５…回転動力伝達軸
６…電力変換器盤（発熱部）
７…冷却装置
８，９…冷却液循環路
１０…ラジエタ
１１，２１，２２，２３…冷却ファン
１２…循環ポンプ
１３…制御盤
１４…仕切板
１５，１６…開口部
１７，１８…電力ケーブル
２０…動力伝達機構
２４，２６…ギヤ
２５…動力伝達軸
２７…ベルト
２９…圧縮機
３０…エアポンプ
３２…油圧ポンプ
【図１】
2015031200.tif 000003
【図２】
2015031200.tif 000004
【図３】
2015031200.tif 000005
【図４】
2015031200.tif 000006